(57)【要約】【課題】配線覆いと支柱との位置合わせの調整範囲が広く、箱体に歪みがあっても配線覆いを支柱に取り付けることができるようにし、また、部品点数を増加させずに取り付け時の仮固定を可能にし、また、封印に必要な部品点数を少なくする。【解決手段】支柱２を上側支柱２ａと下側支柱２ｂとに高さ方向に分割して構成し、上側支柱２ａの接合部３ａに穿設した横長の長孔５に調整ネジ４を挿通させて下側支柱２ｂの接合部３ｂに形成した螺子孔６に調整ネジ４を螺合し、上側支柱２ａを長孔５に沿って移動させることにより左右方向へ位置調整することができる。また、下側支柱２ｂの取付用孔９の直径より小さい直径の取付ネジ１０によって下側支柱２ｂを箱体の底面に螺着することにより上下方向へ位置調整することができる。また、上側支柱２ａの端部に係止部１１が形成され、配線覆い１に形成した係止孔１３を係止部１１に引っ掛けて仮止めすることができる。【選択図】        図１
2004215425.tif 000002
【特許請求の範囲】
【請求項１】
分電盤の箱体の底面に立設した支柱により配線覆いを支持する構造において、前記支柱は上側支柱と下側支柱とに高さ方向に分割して構成し、前記上側支柱を左右方向又は上下方向に位置調整可能に固定手段により前記下側支柱に固定し、前記下側支柱を前記上側支柱の調整方向と直交するように上下方向又は左右方向に位置調整可能に固定手段により前記箱体の底面に固定したことを特徴とする分電盤の配線覆い支持構造。
【請求項２】
前記上側支柱と前記下側支柱の夫々の接合面に滑り止め部を形成したことを特徴とする請求項１に記載の分電盤の配線覆い支持構造。
【請求項３】
分電盤の箱体の底面に立設された支柱により配線覆いを支持する構造において、前記支柱の端部に前記配線覆いを引っ掛けるための係止部を形成し、前記配線覆いに前記係止部が係止する係止孔を穿設したことを特徴とする分電盤の配線覆い支持構造。
【請求項４】
前記配線覆いの係止孔を通して前面に露出した前記支柱の係止部の先端に封印用ワイヤが挿通するための封印用孔を形成し、前記配線覆いにネジが挿通するための挿通孔を穿設し、該挿通孔に封印ネジのネジ部を挿通させて前記支柱に形成したネジ孔に螺合し、前記封印ネジの頭部に穿設した貫通孔と前記支柱の封印用孔とに前記封印用ワイヤを挿通して封印可能にしたことを特徴とする請求項３に記載の分電盤の配線覆い支持構造。
【発明の詳細な説明】
【０００１】
【発明の属する技術分野】
本発明は、分電盤に収納した機器の操作部を露出させて箱体の前面を被覆する配線覆いの支持構造に関する。
【０００２】
【従来の技術】
従来、分電盤に配線覆いを取り付ける際、分電盤の取り付け面の凹凸等によって箱体が歪んだ状態でも配線覆いを取り付けられるようにした分電盤の配線覆い支持構造としては、例えば、特許文献１に示されるものがある。この分電盤の配線覆い支持構造は、支柱の先端部に受体を設け、受体は先端面にすり鉢状の挿通孔を形成し、内部に挿通孔と連通した空洞を設け、この空洞内に矩形板状の角ナットを設けている。そして配線覆いの前面からローレットねじを配線覆いの挿入孔を通して支柱の挿通孔に挿通し、角ナットに螺合することにより、配線覆いを固定している。角ナットは挿通孔の半径方向に移動が可能になっているので配線覆いの挿入孔と角ナットが軸方向にずれていても少しのずれであればローレットねじと角ナットの螺合が可能になっている。
【０００３】
また、配線覆いの取り付けを容易にする構造としては、例えば、特許文献２に示されるものがある。この配線覆い支持構造は、配線覆いの下端部に断面がコ字状の仮置き部を設け、仮置き部を箱体の開口下側短縁部に乗せて仮置きし、仮置き部を支点にし配線覆いを立てて、位置決めをしてからローレットねじで配線覆いを支柱に締め付け固定していた。
【０００４】
また、配線覆いの封印構造としては、例えば、特許文献３に示されるものがある。これは、配線覆いを支持するための支柱に封印ネジ取付用ネジ孔を穿設し、配線覆いは封印ネジ取付用ネジ孔に対向する位置に封印ネジのネジ部を通すための通し孔を穿設し、また、封印ネジにより配線覆いとともに支柱に共締めされる封印片の回り止め用突起が係合するための係合孔を穿設し、封印片の回り止め用突起を配線覆いの係合孔に係合させ、封印ネジにより封印片と配線覆いを支柱に共締めし、封印ネジの封印孔と封印片の封印孔とに封印用ワイヤを挿通させて金属片で結合して封印をしていた。
【０００５】
【特許文献１】
特開平８−１６３７１８号公報（第５頁、第６−８図）
【特許文献２】
実開平７−２０００８号公報（第６頁、第１−３図）
【特許文献３】
実開昭６２−３３６０８号公報（第５−６頁、第４図）
【０００６】
【発明が解決しようとする課題】
しかしながら、特許文献１の配線覆い支持構造は、箱体の歪みが少し大きいと対応できないという問題があるし、特許文献２の配線覆いの取付構造は、配線覆いに部材を加工して追加しなければならずコストがかかるという問題があり、特許文献３の配線覆いの封印構造は、専用の部品を製作しなければならず、部品を紛失しやすいし、部品点数が多いので組立性が悪いという欠点があった。
【０００７】
そこで上記問題点に鑑み、本発明の目的は、配線覆いと支柱との位置合わせの調整範囲が広く、箱体に歪みがあっても配線覆いを支柱に取り付けることができ、また、部品点数を増加させずに取り付け時の仮固定を可能にし、また、封印に必要な部品点数を少なくすることができる分電盤の配線覆い支持構造を提供することである。
【０００８】
【課題を解決するための手段】
上記目的を達成するために、請求項１に記載の発明によれば、分電盤の箱体の底面に立設した支柱により配線覆いを支持する構造において、支柱は上側支柱と下側支柱とに高さ方向に分割して構成し、上側支柱を左右方向又は上下方向に位置調整可能に固定手段により下側支柱に固定し、下側支柱を上側支柱の調整方向と直交するように上下方向又は左右方向に位置調整可能に固定手段により箱体の底面に固定したことを特徴とする。
【０００９】
請求項２に記載の発明によれば、請求項１に記載の分電盤の配線覆い支持構造において、上側支柱と下側支柱の夫々の接合面に滑り止め部を形成したことを特徴とする。
【００１０】
請求項３に記載の発明によれば、分電盤の箱体の底面に立設された支柱により配線覆いを支持する構造において、支柱の端部に配線覆いを引っ掛けるための係止部を形成し、配線覆いに係止部が係止する係止孔を穿設したことを特徴とする。
【００１１】
請求項４に記載の発明によれば、請求項３に記載の分電盤の配線覆い支持構造において、配線覆いの係止孔を通して前面に露出した支柱の係止部の先端に封印用ワイヤが挿通するための封印用孔を形成し、配線覆いにネジが挿通するための挿通孔を穿設し、挿通孔に封印ネジのネジ部を挿通させて支柱に形成したネジ孔に螺合し、封印ネジの頭部に穿設した貫通孔と支柱の封印用孔とに封印用ワイヤを挿通して封印可能にしたことを特徴とする。
【００１２】
【発明の実施の形態】
請求項１に記載の発明によれば、分電盤の箱体の底面に立設した支柱により配線覆いを支持する構造において、支柱は上側支柱と下側支柱とに高さ方向に分割して構成し、上側支柱を左右方向又は上下方向に位置調整可能に固定手段により下側支柱に固定し、下側支柱を上側支柱の調整方向と直交するように上下方向又は左右方向に位置調整可能に固定手段により箱体の底面に固定したことにより、配線覆いと支柱との位置合わせの調整範囲が広く、箱体に歪みがあっても配線覆いを支柱に取り付けることができる。
【００１３】
請求項２に記載の発明によれば、請求項１に記載の分電盤の配線覆い支持構造において、上側支柱と下側支柱の夫々の接合面に滑り止め部を形成したことにより、位置調整がしやすく、また、上側支柱と下側支柱を螺着固定する際に回り止めし、輸送時に上側支柱と下側支柱のズレを防止する。
【００１４】
請求項３に記載の発明によれば、分電盤の箱体の底面に立設された支柱により配線覆いを支持する構造において、支柱の端部に配線覆いを引っ掛けるための係止部を形成し、配線覆いに係止部が係止する係止孔を穿設したことにより、部品点数を増加させずに取り付け時の仮固定を可能にする。
【００１５】
請求項４に記載の発明によれば、請求項３に記載の分電盤の配線覆い支持構造において、配線覆いの係止孔を通して前面に露出した支柱の係止部の先端に封印用ワイヤが挿通するための封印用孔を形成し、配線覆いにネジが挿通するための挿通孔を穿設し、挿通孔に封印ネジのネジ部を挿通させて支柱に形成したネジ孔に螺合し、封印ネジの頭部に穿設した貫通孔と支柱の封印用孔とに封印用ワイヤを挿通して封印可能にしたことにより、部品点数を少なくし、コストを低減することができる。
【００１６】
【実施例】
本発明に係る分電盤の配線覆い支持構造の一実施例を図１〜図３の添付図面に基づいて説明する。
【００１７】
分電盤（図示せず）は前面を開口した箱体（図示せず）にブレーカ等の機器（図示せず）を配設し、箱体の前面開口に機器の操作部が露出するように窓孔を形成した配線覆い１が箱体の底面の四隅に立設された支柱２に取り付けられて支持される。
【００１８】
支柱２は上側支柱２ａと下側支柱２ｂとに高さ方向に分割して構成され、上側支柱２ａと下側支柱２ｂの接合部３ａ，３ｂは接合面を広くするために板状に形成され、上側支柱２ａの接合部３ａには調整ネジ４が挿通するための横長の長孔５が穿設され、下側支柱２ｂの接合部３ｂには調整ネジ４が螺合する螺子孔６が形成されている。図において螺子孔６が複数設けられているのは下側支柱２ｂを箱体の左側に取り付ける際に下側支柱２ｂを反転させて使用するためである。そして、上側支柱２ａの長孔５に調整ネジ４を挿通させて下側支柱２ｂの螺子孔６に緩く螺合し、上側支柱２ａを長孔５に沿って移動させることにより上側支柱２ａを下側支柱２ｂに対して左右方向へ位置調整することができる。位置調整ができたら調整ネジ４を完全に締め付けて固定する。また、上側支柱２ａと下側支柱２ｂの夫々の接合面には縦方向に延びる複数の略Ｖ字状の突起と溝によって滑り止め部７ａ，７ｂが形成され、上側支柱２ａと下側支柱２ｂの結合時に左右方向へ細かくずらすことができ調整がしやすいようになっている。また、上側支柱２ａと下側支柱２ｂとを調整ネジ４で螺着する際に回り止めにもなり、製品完成後の輸送時には上側支柱２ａと下側支柱２ｂのズレ防止になる。
【００１９】
また、下側支柱２ｂの下端の取付部８には取付用孔９が穿設され、取付用孔９に取付ネジ１０を挿通させて箱体の底面に螺着固定するようになっている。取付ネジ１０のネジ部の直径は取付用孔９の直径より小さいので下側支柱２ｂをずらすことができ、上側支柱２ａの調整方向と直交するように上下方向に位置調整することができる。尚、取付用孔９を縦長の長孔形状に形成することにより調整幅を大きくすることができる。
【００２０】
上側支柱２ａの端部には断面矩形状の係止部１１が形成され、係止部１１の基端には段部１２が形成されている。配線覆い１は上側支柱２ａの係止部１１と対向する位置に矩形状の係止孔１３が穿設され、上側支柱２ａの係止部１１に配線覆い１の係止孔１３を引っ掛けて仮止めすることができ、配線覆い１を固定する際に両手が自由に使えるので一人で配線覆い１の取り付け作業を行うことができる。
【００２１】
尚、配線覆い１の固定は、配線覆い１に穿設した挿通孔１４にローレットネジ１５のネジ部１５ａを前面から挿通させ、上側支柱２ａの挿通孔１４と対向する位置に形成したネジ孔１６に螺着することにより、配線覆い１がローレットネジ１５の頭部１５ｂと上側支柱２ａの段部１２とで挟持されて固定することができる。
【００２２】
また、配線覆い１の係止孔１３を通して前面に露出した上側支柱２ａの係止部１１の先端には封印用孔１７が形成され、図３に示すようにローレットネジ１５を封印ネジ１８に替え、ローレットネジ１５による固定方法と同様に配線覆い１を上側支柱２ａの係止部１１に仮止めした状態で封印ネジ１８のネジ部１８ａを配線覆い１の挿通孔１４に挿通させ、上側支柱２ａのネジ孔１６に螺着して配線覆い１を固定し、封印ネジ１８の頭部１８ｂに形成された貫通孔１９と上側支柱２ａの封印用孔１７とに封印用ワイヤ２０を挿通させて金属片２１で結合することにより封印を施すことができる。
【００２３】
尚、本実施例において上側支柱を左右方向に位置調整可能にし下側支柱を上下方向に位置調整可能にしたが、上側支柱を上下方向に位置調整可能にし下側支柱を左右方向に位置調整可能にしても良く、また、固定手段についても限定はないし、また、上側支柱と下側支柱の接合面の滑り止め形状についても限定はない。また、配線覆いの仮止め構造についても配線覆いの係止孔が支柱に係止すれば良く、支柱の係止部の形状について限定はない。更に、仮止め構造は支柱を２分割して位置調整可能に形成しなくても問題なく利用でき、配線覆いと支柱の構造について本発明の趣旨を逸脱しない範囲で適宜変更可能である。
【００２４】
【発明の効果】
以上説明したように請求項１に記載の発明によれば、分電盤の箱体の底面に立設した支柱により配線覆いを支持する構造において、支柱は上側支柱と下側支柱とに高さ方向に分割して構成し、上側支柱を左右方向又は上下方向に位置調整可能に固定手段により下側支柱に固定し、下側支柱を上側支柱の調整方向と直交するように上下方向又は左右方向に位置調整可能に固定手段により箱体の底面に固定したことにより、配線覆いと支柱との位置合わせの調整範囲が広く、箱体に歪みがあっても配線覆いを支柱に取り付けることができるという効果がある。
【００２５】
請求項２に記載の発明によれば、請求項１に記載の分電盤の配線覆い支持構造において、上側支柱と下側支柱の夫々の接合面に滑り止め部を形成したことにより、位置調整がしやすく、また、上側支柱と下側支柱を螺着固定する際に回り止めし、輸送時に上側支柱と下側支柱のズレを防止するという効果がある。
【００２６】
請求項３に記載の発明によれば、分電盤の箱体の底面に立設された支柱により配線覆いを支持する構造において、支柱の端部に配線覆いを引っ掛けるための係止部を形成し、配線覆いに係止部が係止する係止孔を穿設したことにより、部品点数を増加させずに取り付け時の仮固定を可能にするという効果がある。
【００２７】
請求項４に記載の発明によれば、請求項３に記載の分電盤の配線覆い支持構造において、により、配線覆いの係止孔を通して前面に露出した支柱の係止部の先端に封印用ワイヤが挿通するための封印用孔を形成し、配線覆いにネジが挿通するための挿通孔を穿設し、挿通孔に封印ネジのネジ部を挿通させて支柱に形成したネジ孔に螺合し、封印ネジの頭部に穿設した貫通孔と支柱の封印用孔とに封印用ワイヤを挿通して封印可能にしたことにより、部品点数を少なくし、コストを低減することができるという効果がある。
【図面の簡単な説明】
【図１】本発明に係る配線覆いの支持構造を示す斜視図である。
【図２】上側支柱の平面図である。
【図３】配線覆いの封印方法を示す斜視図であり、（ａ）は配線覆いの封印を行う前の状態、（ｂ）は封印をした状態である。
【符号の説明】
１…配線覆い
２…支柱
２ａ…上側支柱
２ｂ…下側支柱
３ａ，３ｂ…接合部
４…調整ネジ
５…長孔
６…螺子孔
７ａ，７ｂ…滑り止め部
９…取付用孔
１０…取付ネジ
１１…係止部
１３…係止孔
１７…封印用孔
１８…封印ネジ
２０…封印用ワイヤ
【図１】
2004215425.tif 000003
【図２】
2004215425.tif 000004
【図３】
2004215425.tif 000005